(57)【特許請求の範囲】
【請求項１】
円筒形の口部を有する容器本体、前記容器本体内の内容物の排出口および前記容器本体の円筒形の口部とネジ係合する円筒形の側面を有する中栓、および前記中栓の側面とネジ係合する円筒形の側面を有する外キャップからなる中栓付き容器であって、
前記中栓の側面の内面と前記容器本体の口部の外面とがネジ係合することで、前記中栓は前記容器本体に係合され、
前記中栓の側面の外面と前記外キャップの側面の内面とがネジ係合することで、前記外キャップは前記中栓に係合され、
前記中栓と前記容器本体が係合するネジのピッチよりも、前記中栓と前記外キャップが係合するネジのピッチを小さくすることにより、前記中栓と前記容器本体が係合するネジのリード角よりも、前記中栓と前記外キャップが係合するネジのリード角の方が大きくなり、前記外キャップを取り外す方向に回転させると、前記中栓と前記容器本体とのネジ係合が解除される前に、前記外キャップと前記中栓とのネジ係合が解除され、前記中栓が外れることなく前記外キャップだけが取り外されることを特徴とする中栓付き容器。
【請求項２】
前記外キャップと前記中栓がネジ係合すると共に、前記中栓の側面の内面に設けられたアンダーカットと、前記口部の外面に設けられた係止突起が係合することを特徴とする請求項１に記載の中栓付き容器。
【発明の詳細な説明】
【技術分野】
【０００１】
本発明は、中栓付き容器に関する。
【背景技術】
【０００２】
液体等を収容する容器には、中身を詰めた後で閉じる中栓が用いられている中栓付き容器が多数存在する。一般的な中栓は、容器の口部の内側に嵌合されており、特に圧入により中栓が嵌合されている場合には、中栓を簡単には外すことができないものが多い。
【０００３】
従来の中栓付き容器は、シャンプーや化粧料等を使い切ったら廃棄していたので、中栓を外す必要が無かったので、中栓を開けやすくするのではなく、使用中に中栓が開かないように圧入により嵌合していたが、最近は中身だけを詰め替えて再利用するリフィル容器が増えてきたために、中栓を開け易くした中栓付き容器（特許文献１参照）が用いられるようになっている。
【先行技術文献】
【特許文献】
【０００４】
【特許文献１】特開２００７−９１２９３号公報
【発明の概要】
【発明が解決しようとする課題】
【０００５】
しかしながら、いぜんとして中栓を取り外す際に、爪の先で中栓の係合を解除するものが多く、決して中栓を取り外すのが容易ではなかった。また中栓を取り外しやすいものは中栓が緩みやすいという問題や、繰り返し使用している間に係合が緩くなるという問題もある。
【０００６】
そこで、本発明は簡単な操作で中栓を取り外すことができ、長期間繰り返し使用できる中栓付き容器を提供することを目的とする。
【課題を解決するための手段】
【０００７】
本発明の中栓付き容器は、円筒形の口部を有する容器本体、前記容器本体内の内容物の排出口および前記容器本体の円筒形の口部とネジ係合する円筒形の側面を有する中栓、および前記中栓の側面とネジ係合する円筒形の側面を有する外キャップからなる中栓付き容器であって、前記中栓の側面の内面と前記容器本体の口部の外面とがネジ係合することで、前記中栓は前記容器本体に係合され、前記中栓の側面の外面と前記外キャップの側面の内面とがネジ係合することで、前記外キャップは前記中栓に係合され、前記中栓と前記容器本体が係合するネジのリード角よりも、前記中栓と前記外キャップが係合するネジのリード角の方が大きいことを特徴とする。
【０００８】
そして、前記外キャップと前記中栓がネジ係合すると共に、前記中栓の側面の内面に設けられたアンダーカットと、前記口部の外面に設けられた係止突起が係合するようにする。
【発明の効果】
【０００９】
本発明の中栓付き容器は、円筒形の口部を有する容器本体、前記容器本体内の内容物の排出口および前記容器本体の円筒形の口部とネジ係合する円筒形の側面を有する中栓、および前記中栓の側面とネジ係合する円筒形の側面を有する外キャップからなる中栓付き容器であって、前記中栓の側面の内面と前記容器本体の口部の外面とがネジ係合することで、前記中栓は前記容器本体に係合され、前記中栓の側面の外面と前記外キャップの側面の内面とがネジ係合することで、前記外キャップは前記中栓に係合され、前記中栓と前記容器本体が係合するネジのリード角よりも、前記中栓と前記外キャップが係合するネジのリード角の方が大きいことにより、外キャップおよび中栓を簡単に取り外すことができ、繰り返し使用しても前記中栓の係合状態が緩むことなく長期間使用することができる。
【００１０】
さらに、前記外キャップと前記中栓がネジ係合すると共に、前記中栓の側面の内面に設けられたアンダーカットと、前記口部の外面に設けられた係止突起が係合することで、前記中栓の係合状態をより強固に保つことができるようになる。
【図面の簡単な説明】
【００１１】
【図１】中栓付き容器の断面図である。
【図２】中栓付き容器の一部拡大断面図である。
【図３】外キャップおよび中栓を取り外した状態の中栓付き容器の一部切り欠き部分斜視図である。
【図４】外キャップを取り外した状態の中栓付き容器の部分斜視図である。
【図５】リード角βを表す図である。
【発明を実施するための形態】
【００１２】
本発明を、図を用いて以下に詳細に説明する。図１が中栓付き容器１の断面図であり、図２が部分拡大断面図であり、図３が外キャップ４および中栓３を取り外した状態の斜視図、図４が外キャップ４を取り外した状態の斜視図である。
【００１３】
本発明の中栓付き容器１は、図１〜３に示すように、円筒形の口部５を有する容器本体２、前記容器本体２の口部５とネジ係合する円筒形の側面８を有する中栓３、および前記中栓３の側面８とネジ係合する円筒形の側面１４を有する外キャップ４からなり、前記中栓３を取り外して前記容器本体２に新しい内容物を入れることで繰り返し使用されるシャンプー等のリフィル容器として使用される。
【００１４】
前記容器本体２は上部が細くなったボトル形状で、本体の上部に前記口部５が円筒形に形成され、前記口部５の外面にネジ山６が設けられ、前記口部５の外面の前記ネジ山６の上方には外側に突出し、外面を１周するように形成された係止突起７が形成されている。前記容器本体２の形状はボトル形状に限定するものではなく、その他の形状を用いることも可能である。
【００１５】
前記中栓３は、上面中央に前記容器本体２内に収容された内容物を排出する排出口１３が設けられ、前記容器本体２および前記外キャップ４とのネジ係合に用いられる前記側面８の内側に前記口部５内に挿入される円筒形の挿入部９が形成されており、前記排出口１３を取り囲むように凸部１８が形成されている。
【００１６】
前記側面８は段差が設けられ、上部が下部よりも半径が小さい段差を有する円筒形となっており、下部の半径が大きい円筒形の部分の内面には前記口部５のネジ山６とねじ係合するネジ山１０が形成され、外面にはネジ山１１が形成されている。前記ネジ山１１は２個が平行に形成されている。さらに、前記側面８の内面の段差の部分に当たる、半径が小さい円筒形の部分の下端に、前記係止突起７と係合するアンダーカット１２が前記側面８の内面を１周するように形成されている。
【００１７】
前記外キャップ４は、蓋となる上面、前記中栓３の側面８とのネジ係合に用いられる円筒形の側面１４および外観を形成する略円筒形の外カバー１５から構成され、上面の内面には密閉度を高めるためのパッキン１７が設けられている。前記側面１４の内面には、前記中栓３の側面８の外面に設けられたネジ山１１とねじ係合するネジ山１６が設けられている。前記ネジ山１６は前記ネジ山１１と同様に２個が平行に形成されている。
【００１８】
全てのネジ山６，１０，１１，１６が同一方向の螺旋状に形成されているので、前記容器本体２と前記中栓３のネジ係合と、前記中栓３と前記外キャップ４のネジ係合は、締めるときも開けるときも同一方向に回転させることとなる。そのために、同じ形状のネジ係合では前記中栓３および前記外キャップ４を閉じた状態から、前記外キャップ４を開けようとすると前記中栓３が供回りする可能性がある。
【００１９】
そこで、前記外キャップ４を緩めるために必要な力よりも前記中栓３を緩めるために必要な力が大きくなるようにすることで、前記外キャップ４を開けようとしたときに前記中栓３が供回りして開かないようにする。このような関係が形成されれば、前記外キャップ４を開けるのに必要な力では前記中栓３が開けることができなくなり前記中栓３が供回りすることがない。このようなネジ係合となるようにネジ山６，１０，１１，１６を形成するために、ネジのリード角を利用する。
【００２０】
ネジのリード角とは、ネジ山のつる巻き線と、その上の１点を通るねじの軸に直角な平面とがなす角度（図５にβで示している）のことであり、前記リード角が小さければそのネジは締めやすくて緩みにくく、リード角が大きければそのネジは締めにくくて緩みやすくなる。そこで、前記外キャップ４と前記中栓３のネジ係合に用いられるネジ山１１，１６のリード角が、前記中栓３と前記容器本体２のネジ係合に用いられるネジ山６，１０のリード角よりも小さくなるように、前記ネジ山６，１０，１１，１６のピッチを決める。
【００２１】
実施例（図２を参照）として、前記外キャップ４のネジ山１６および前記中栓３のネジ山１１のピッチＬ１を３．８１ｃｍ、前記中栓３の側面８の外面の半径Ｒ１を１２．６ｃｍとし、前記中栓３のネジ山１０および前記容器本体２の口部５のネジ山６のピッチＬ２を２．５４ｃｍ、前記口部５の外面の半径Ｒ２を１０ｃｍとする。ちなみに、前記ネジ山１１，１６は共に２個が平行に形成されているので、図２の断面図において、ネジ山２つ分で１ピッチとなる。
【００２２】
ネジ山のリード角をβ、ネジ山が形成される面の半径をＲ、ネジ山のピッチをＬとすると、ネジ山が１周すると１ピッチ進むことから、β，Ｒ，Ｌの関係は、図５に示す関係が成立する。これにより、以下の数式１が成り立つ。この数式１を用いて、前記ネジ山１１，１６のリード角をβ１、前記ねじ山６，１０のリード角をβ２としてそれぞれを求めると、数式２となる。
【００２３】
【数１】
0005560395.tif 000002
【００２４】
【数２】
0005560395.tif 000003
【００２５】
このように、前記ネジ山１１，１６のリード角β１＝２．３１３５°、前記ねじ山６，１０のリード角β２＝２．７５３８°となり、その結果、β２＞β１となる。よって、前記外キャップ４を緩めるために必要な力よりも前記中栓３を緩めるために必要な力が大きくなるので、前記外キャップ４を開けようと回転させたとしても、前記中栓３が供回りして開くことはなく、前記中栓３は前記容器本体２との係合状態が保たれる。
【００２６】
このように形成されたネジ山６，１０，１１，１６を用いた前記中栓３および前記外キャップ４の係合状態体について説明する。まず初めに、前記中栓３と前記容器本体２の係合について説明する。
【００２７】
前記中栓３を前記容器本体２の口部５の上から被せて右方向に回転させて前記容器本体２の口部５に係合させると、前記口部５のネジ山６と前記中栓３のネジ山１０がネジ係合して、前記中栓３が締まりながら下方へと移動する。このとき、前記中栓３の前記挿入部９が前記口部５の内側に挿入され、前記口部５の上端が前記中栓３の挿入部９と側面８の間に挿入される。そして、最終的には、図２に示すように、前記中栓３のアンダーカット１２が前記口部５の係止突起７の下方へと移動して、前記アンダーカット１２と前記係止突起７が係合することで、前記中栓３と前記容器本体２の口部５の係合が完了し、図４に示すような状態となる。
【００２８】
このように前記中栓３が前記容器本体２に係合された状態で、前記排出口１３から前記容器本体２に収容された内容物を排出して中栓付き容器本体１が使用される。このとき、上述のように、前記ネジ山６，１０のネジ係合および前記アンダーカット１２と前記係止突起７の係合により中栓３が強固に容器本体２に係合されているので、使用しているときに、中栓３が簡単に外れることはない。
【００２９】
次に、前記外キャップ４を前記容器本体２に取り付けられた前記中栓３にネジ係合させる。前記外キャップ４を前記中栓３の上から被せて右方向に回転させて前記中栓３に係合させる。これにより、図１，２に示すように、前記中栓３のネジ山１１と前記外キャップ４のネジ山１６がネジ係合することで、前記外キャップ４が前記中栓３と係合する。このとき、前記外キャップ４は直接前記容器本体２とは係合していない。
【００３０】
また、前記外キャップ４が前記中栓３と係合したときに、前記パッキン１７が前記中栓３の上端部と密着し、さらに前記中栓３の上面に形成された凸部１８が前記パッキン１７に喰い込んだ状態となっており、これにより前記容器本体２の密閉度が高められ、前記排出口１３から内容物が漏れるのを防いでいる。
【００３１】
前記外キャップ４を取り外す際には、前記外キャップ４に左方向に回転させる力を加える。すると、上述のように、前記外キャップ４と前記中栓３とのネジ係合のリード角β１が、前記中栓３と前記容器本体２とのネジ係合のリード角β２よりも小さいことから、前記中栓３と前記容器本体２のネジ係合が解除される前に、前記外キャップ４と前記中栓３のネジ係合が解除されるので、前記中栓３が外れることなく前記外キャップ４だけが外れる。このとき、前記アンダーカット１２と前記係止突起７の係合も、前記中栓３と前記容器本体２との係合が解除されるのを防ぐ役割を果たしている。
【００３２】
内容物が無くなり新たな内容物を入れるために前記中栓３を外す場合、前記中栓３に前記外キャップ４を外すときよりも強く力を加えて前記中栓３を左方向に回転させると、前記アンダーカット１２と前記係止突起７の係合および前記ネジ山６，１０のネジ係合が解除されて、前記中栓３を取り外すことができる。
【００３３】
このように、本発明の中栓付き容器１は、中栓３および外キャップ４は回すだけで別々に開けることができるので、従来よりも内容物の入れ替え作業が容易になる。さらに、中栓３をネジ係合を用いて容器本体２に係合させているので、前記中栓３の開け閉めを繰り返し行ったとしても、前記中栓３の係合状態が緩むことなく長期間使用することが可能となる。
【符号の説明】
【００３４】
１        中栓付き容器
２        容器本体
３        中栓
４        外キャップ
５        口部
６        ネジ山
７        係止突起
８        側面
９        挿入部
１０      ネジ山
１１      ネジ山
１２      アンダーカット
１３      排出口
１４      側面
１５      外カバー
１６      ネジ山
１７      パッキン
１８      凸部
【図２】
0005560395.tif 000004
【図１】
0005560395.tif 000005
【図３】
0005560395.tif 000006
【図４】
0005560395.tif 000007
【図５】
0005560395.tif 000008